(57)【要約】【課題】メーターの数値等をそのまま目視して読取ることができない場合でも、メーターの数値を拡大して目視による読取りを簡単になし得る。【解決手段】複数の管体２ａが伸縮可能に連接された支持ポール２と、支持ポール２に装着されるレンズ本体３とを備え、このレンズ本体３は、相対向する対のレンズ面３ａ、３ｂが所望の角度を有して対面されるとともに、その一方のレンズ面３ａ凸面状にかつ他方のレンズ面３ｂが平面状に形成された所望の厚さのプリズム型レンズから構成され、レンズ本体３の側周面の一部を支持ポール２の最上部の管体２ａに対し少なくとも前後方向の首振り角度調整可能に固止するように装着したものである。【選択図】図１
2009282130.tif 000002
【特許請求の範囲】
【請求項１】
複数の管体が伸縮可能に連接された支持ポールと、該支持ポールに装着されるレンズ本体とを備え、このレンズ本体は、相対向する対のレンズ面が所望の角度を有して対面されるとともに、その一方のレンズ面が凸面状にかつ他方のレンズ面が平面状に形成された所望の厚さのプリズム型レンズから構成され、該レンズ本体の側周面の一部を前記支持ポールの最上部の管体に対し少なくとも前後方向の首振り角度調整可能に固止するように装着したことを特徴とする積算電力計等のメーター類における読取視認具。
【請求項２】
複数の管体が伸縮可能に連接された支持ポールと、該支持ポールに装着されるレンズ本体とを備え、このレンズ本体は、相対向する対のレンズ面が所望の角度を有して対面されるとともに、その一方のレンズ面が凸面状にかつ他方のレンズ面が平面状に形成された所望の厚さのプリズム型レンズから構成され、前記レンズ本体には、該レンズ本体の側周面を保護するカバー部材が装着され、このカバー部材の一部を前記支持ポールの最上部の管体に対し少なくとも前後方向の首振り角度調整可能に固止するように装着したことを特徴とする積算電力計等のメーター類における読取視認具。
【請求項３】
請求項１又は２記載の積算電力計等のメーター類における読取視認具であって、前記支持ポールの最上部の管体或いは前記カバー部材の一部には、前記レンズ本体のレンズ面からの視認方向に照明を付与する電源に接続された照明手段を設けたことを特徴とする積算電力計等のメーター類における読取視認具。
【発明の詳細な説明】
【技術分野】
【０００１】
本発明は、例えば、積算電力計等のメーター類において該メーター類の数値を読取るために使用される読取視認具に関する。
【背景技術】
【０００２】
一般に、この種の積算電力計等のメーター類は、家屋等の屋外壁面等に対して所望の高さ、例えば、通常の大人の身長よりも若干高い部位に設置され、そのメーター類の数値等を正面下方位置から正対して目視により読取るものである。
しかし、メーター類を正面から正対して目視するスペースがない場所やメーター類が比較的高所に設置されている場所等にあっては、該メーター類をそのまま目視して読取ることができない場合が多々生起していた。
そして、従来、上記のようにメーター類の数値等を正面下方位置からそのまま目視により読取ることができない場合には、長尺の操作棒の凸面鏡、凹面鏡、平面鏡を設けた補助鏡手段を使用してその補助鏡手段をメーター類の数値を読取る部位に対面状に掲げて該数値を映して読取る方法が採用されていた。
なお、この従来手段は、一般に採用されている手段であるため、とくに、特許文献としては未調査である。
【発明の開示】
【発明が解決しようとする課題】
【０００３】
しかしながら、上記した従来の凸面鏡等の補助鏡手段を使用してメーター類の数値を読取る手段にあっては、凸面鏡、凹面鏡、平面鏡にその数値を映すものであるから、該凸面鏡等には数値の数字が上下反転して映されてしまい、その数値の読取り違い（見間違い）のミスを誘発させる原因ともなり、単純な目視で簡単にメーター類の数値を視認して読取ることができる補助手段としての読取視認具が強く希求されているのが現状である。
そこで、本発明は、メーター類の数値等をそのまま目視して読取ることができない場合でも、メーターの数値を拡大して目視による読取りを簡単になし得る積算電力計等のメーター類における読取視認具を提供するものである。
【課題を解決するための手段】
【０００４】
上記した課題を解決するために、請求項１に記載の発明は、複数の管体が伸縮可能に連接された支持ポールと、該支持ポールに装着されるレンズ本体とを備え、このレンズ本体は、相対向する対のレンズ面が所望の角度を有して対面されるとともに、その一方のレンズ面が凸面状にかつ他方のレンズ面が平面状に形成された所望の厚さのプリズム型レンズから構成され、該レンズ本体の側周面の一部を前記支持ポールの最上部の管体に対し少なくとも前後方向の首振り角度調整可能に固止するように装着したことを特徴とする。
【０００５】
この構成によれば、伸縮可能な支持ポールによりレンズ本体を読取るべきメーター類の数値部位に対面させることによって、該レンズ本体における相対向する対のレンズ面が所望の角度を有して対面されるとともに、その一方のレンズ面が凸面状にかつ他方のレンズ面が平面状に形成された所望の厚さのプリズム型レンズにより当該メーター類における数値をそのまま拡大して下方から確実に視認し得るとともに、その数値を読取ることができるものである。
そして、レンズ本体が支持ポールに対し少なくとも前後方向の首振り角度調整可能に固止できるため、メーター類の種々の設置に対する視認、読取りの対応範囲の拡大を図ることができるものである。
【０００６】
請求項２に記載の発明は、複数の管体が伸縮可能に連接された支持ポールと、該支持ポールに装着されるレンズ本体とを備え、このレンズ本体は、相対向する対のレンズ面が所望の角度を有して対面されるとともに、その一方のレンズ面が凸面状にかつ他方のレンズ面が平面状に形成された所望の厚さのプリズム型レンズから構成され、前記レンズ本体には、該レンズ本体の側周面を保護するカバー部材が装着され、このカバー部材の一部を前記支持ポールの最上部の管体に対し少なくとも前後方向の首振り角度調整可能に固止するように装着したことを特徴とする。
【０００７】
この構成によれば、上記した請求項１と同様に、伸縮可能な支持ポールによりレンズ本体を読取るべきメーター類の数値部位に対面させることによって、該レンズ本体における相対向する対のレンズ面が所望の角度を有して対面されるとともに、その一方のレンズ面が凸面状にかつ他方のレンズ面が平面状に形成された所望の厚さのプリズム型レンズにより当該メーター類における数値をそのまま拡大して下方から確実に視認し得るとともに、その数値を読取ることができ、メーター類の種々の設置に対する視認、読取りの対応範囲の拡大を図ることができるものである。
さらに、カバー部材によりレンズ本体の損傷の保護をなし得るとともに、支持ポールに対するレンズ本体の装着を簡単になし得るものである。
【０００８】
請求項３に記載の発明は、請求項１又は２記載の積算電力計等のメーター類における読取視認具であって、前記支持ポールの最上部の管体或いは前記カバー部材の一部には、前記レンズ本体のレンズ面からの視認方向に照明を付与する電源に接続された照明手段を設けたことを特徴とする。
【０００９】
この構成によれば、照明手段により、暗い場所におけるメーターの数値等の視認、読取りに際し、その作業に簡易に対応することができるものである。
【発明の効果】
【００１０】
請求項１に記載の発明にあっては、当該メーター類における数値をそのまま拡大して下方から確実に視認し、読取ることができ、さらに、メーター類の種々の設置に対する視認、読取りの対応範囲の拡大を図ることができる。
【００１１】
請求項２に記載の発明にあっては、請求項１に記載した効果に加え、レンズ本体をその使用時等における損傷から保護することができ、さらに、支持ポールに対するレンズ本体の装着を簡単になし得る。
【００１２】
請求項３に記載の発明にあっては、暗い場所におけるメーター類の数値等の視認、読取り作業に簡易に対応することができる。
【発明を実施するための最良の形態】
【００１３】
次に、本発明を実施するための最良の形態について、実施例にしたがって説明する。
（実施例）
【００１４】
以下、本発明の一実施例を図面にしたがって説明する。
【００１５】
図に示すように、本実施例における読取視認具１は、伸縮可能に構成された支持ポール２と、該支持ポール２に装着されるレンズ本体３とを主体として構成されている。
【００１６】
前記支持ポール２は、図１及び図２に示すように、順次その径を段階的に小径となした複数（図では４本の場合を示す）の円筒状の金属製からなる管体２ａが伸縮可能に連接されて構成されている。ただし、各管体２ａにおける伸縮可能な連接構造は既存の構造と同様であるためその説明を省略する。
【００１７】
前記レンズ本体３は、図３〜図５に示すように、正面視四角形状に形成されるとともに、その相対向する対のレンズ面３ａ、３ｂが所望の角度α（本例では約３０°の場合を図示すが、この角度は任意に設定するのものである。）を有して対面されるとともに、その一方のレンズ面３ａ（裏面視側）が凸面状にかつ他方のレンズ面３ｂ（正面視側）が平面状に形成された所望の厚さのプリズム型レンズから構成されている。なお、該レンズ本体３はほぼ三角柱状に形成されており、その底面３ｃと前記他方のレンズ面３ｂ（正面視側）とは所望の角度β（本例では約８７°の場合を図示すが、この角度は任意に設定するのものである。）に設定されている。また、レンズ本体３の他方のレンズ面３ｂ（正面視側）の周縁部にはフランジ部４が突状に延出されている。
【００１８】
カバー部材５は、図６及び図７に示すように、合成樹脂製或いは金属製から形成され、前記レンズ本体３における両側面及びそのすべての隅角縁部を覆う形状に形成されており、該レンズ本体３の両側面及びそのすべての隅角縁部を覆うように装着されている。
【００１９】
そして、前記カバー部材５の一方の側面部には、取付け用ボス部６が一体状に突設されており、この取付け用ボス部６を介して前記支持ポール２の最上部の管体２ａに対し前後方向（図示Ｐ矢印方向）の首振り角度調整可能に蝶ねじ７により固止するように装着されている。これにより、レンズ本体３は、支持ポール２に対し、前後方向（図示Ｐ矢印方向）の首振り角度調整可能となし、また、支持ポール２の最上部の管体２ａ自体を図１のＡ部拡大図及び図２のＡ１部拡大図に示すように上下方向（図示Ｑ矢印方向）への屈折可能な連接構成、すなわち、管体２ａを２つに屈折可能に連接し、その連接部位を蝶ねじ７ａにより締着することにより上下方向（図示Ｑ矢印方向）に屈曲角度の調整可能となしている。
なお、レンズ本体３を前後方向（図示Ｐ矢印方向）の首振り角度調整可能とする構成及び上下方向（図示Ｑ矢印方向）に屈折可能とする連接構成については、図示の構成に限定するものではなく、種々の構成が採用できるもので、要するに、支持ポール２に対しレンズ本体３を前後及び左右方向に自由に変位できる構成であればよい。
【００２０】
また、前記カバー部材５の下縁部５ａのほぼ中央部位に形成された取付け環部９には発光ダイオード（ＬＥＤ）からなる照明手段８が前記レンズ本体３の他方のレンズ面３ｂからの視認方向に照明を付与するように指向された状態で装設されており、この照明手段８は前記支持ポール２の最上部における管体２ａに交換可能に組込まれた電池Ｂを電源としかつ該支持ポール２の最下部の管体２ａに組付けられた手元スイッチＳＷによって点灯及び消灯制御するように構成されていて、その接続回路を図８に略示する。
【００２１】
次に、上述のように構成された本実施例の読取視認具１の使用状態について説明する。
【００２２】
まず、その数値を読取り作業すべきメーター（図示しない）類に対し、支持ポール２をその各管体２ａを伸張して長く伸ばした状態にするとともに、該支持ポール２に対してレンズ本体３を作業者の位置（状態）から当該メーター類が視認、読取しやすいように、前後方向（図示Ｐ矢印方向）の首振り角度或いは上下方向（図示Ｑ矢印方向）の屈折角度をその両蝶ねじ７、７ａの弛緩、締付け動作を介して調整して固止する。
【００２３】
そして、支持ポール２をかざしながらレンズ本体３全体を読取るべきメーター類の数値部位に対面させることにより、該レンズ本体３における相対向する対のレンズ面３ａ、３ｂが所望の角度を有して対面されるとともに、その一方のレンズ面３ａが凸面状にかつ他方のレンズ面３ｂが平面状に形成された所望の厚さのプリズム型レンズの特性によって当該メーター類における数値をそのまま拡大して下方から確実に視認し得るとともに、その数値を簡易に読取ることができるものである。この場合、メーター類の数値部位に対面させるレンズ本体３における相対向する対のレンズ面３ａ、３ｂは何れのレンズ面３ａ、３ｂ側でもよい。
【００２４】
したがって、本実施例にあっては、メーター類の数値等をそのまま目視して読取ることができない高い場所或いは遠い場所の場合であっても、従来の凸面鏡のよう数値の数字が上下反転することなく、当該メーター類の拡大された数値を目視により視認して簡単に読取ることができるものである。
【００２５】
この場合、上述したように、レンズ本体３が支持ポールに対して前後方向（図示Ｐ矢印方向）の首振り角度調整可能に固止でき、さらには、上下方向（図示Ｑ矢印方向）に屈曲角度を設定（調整）して固止することができるため、メーターの種々の設置に条件に対する視認、読取りに対応し得、その範囲の拡大を図ることができるものである。
【００２６】
また、レンズ本体３の装着されたカバー部材５によって、その使用時等におけるレンズ本体３の損傷を保護することができ、さらに、支持ポール２に対するレンズ本体３の装着構造を簡単になし得る。
【００２７】
さらには、カバー部材５に装着された照明手段８によって、メーター類の設置場所が暗い場所にあっても該メーター類の数値等の視認、読取り作業に簡易に対応することができる。
【００２８】
上記した実施例にあっては、支持ポール２に対するレンズ本体３の装着をカバー部材５の取付けボス部６を介在した構成としたが、これに限定するものではなく、例えば、カバー部材５を排除してレンズ本体３に直接に取付けボス部を形成することにより、この取付けボス部を介して支持ポール２に直接的に蝶ねじ等の手段にて取付ける構成を採用することができる。
また、照明手段８をカバー部材５に設けた構成としたが、これに代えて支持ポール２側に装着する構成とすることも可能である。
【００２９】
なお、レンズ本体３自体の形状にあっても、図示形状のものに限定するものではなく、本発明の主旨を逸脱しない範囲において種々変更が可能である。
【００３０】
さらに、本実施例の読取視認具１は、積算電力計のメーター類の数値を読取る場合に限らず、例えば、水道、ガス等のメーター類における数値の読取りに採用できるものであることは勿論のことである。
【図面の簡単な説明】
【００３１】
【図１】読取視認具全体を略示する正面図である。
【図２】同じく、読取視認具全体を略示する側面図である。
【図３】レンズ本体を示す斜視図である。
【図４】同じく、側面図である。
【図５】同じく、平面図である。
【図６】カバー部材を示す斜視図である。
【図７】レンズ本体にカバー部材を装着した状態を示す斜視図である。
【図８】照明手段の電源回路図である。
【符号の説明】
【００３２】
１  読取視認具
２  支持ポール
３  レンズ本体
３ａ  一方のレンズ面
３ｂ  他方のレンズ面
５  カバー部材
８  照明手段
【図１】
2009282130.tif 000003
【図２】
2009282130.tif 000004
【図３】
2009282130.tif 000005
【図４】
2009282130.tif 000006
【図５】
2009282130.tif 000007
【図６】
2009282130.tif 000008
【図７】
2009282130.tif 000009
【図８】
2009282130.tif 000010